(57)【要約】【課題】  風雨の侵入防止に優れると共に耐久性に優れる風止め板を提供する。【解決手段】  本発明の風止板１は、風止め部２７と取付部２９とを備え、上枠５の下面５ａと垂下片１５と垂下片１５の室内側に位置する室内側壁と１７が形成する障子走行溝１１に配置してあり、取付部２９は障子走行溝１１に固定してあり、風止め部２７は上壁３１及び下壁４１と、上壁３１と下壁４１とを右側で連結する右上斜め壁３３及び右下斜め壁３５と、上壁３１と下壁４１とを左側で連結する左上斜め壁３９及び左下斜め壁３７とから成り、各壁の連結部４２が折れ曲がり自在で上下方向に伸縮して、障子走行溝１１と障子７との間を塞いでいる。【選択図】      図１
2006219907.tif 000002
【特許請求の範囲】
【請求項１】
風止め部と取付部とを備え、上枠の下面と垂下片と垂下片の室内側に位置する室内側壁とが形成する障子走行溝に配置してあり、取付部は障子走行溝に固定してあり、風止め部は上壁及び下壁と、上壁と下壁とを右側で連結する右上斜め壁及び右下斜め壁と、上壁と下壁とを左側で連結する左上斜め壁及び左下斜め壁とから成り、各壁の連結部が折れ曲がり自在で上下方向に伸縮するものであり、障子走行溝と障子との間を塞いでいることを特徴とする風止め板。
【請求項２】
風止め部と上部取付部と室内側取付部とを備え、上枠の下面と垂下片と垂下片の室内側に位置する室内側壁とが形成する障子走行溝に配置してあり、風止め部は上壁及び下壁と、上壁と下壁とを右側で連結する右上斜め壁及び右下斜め壁と、上壁と下壁とを左側で連結する左上斜め壁及び左下斜め壁とから成り、各壁の連結部が折れ曲がり自在で上下方向に伸縮するものであり、各壁の室外側端面が上枠の垂下片の室内側面に当接し、上部取付部は上枠の下面に当接し且つ上枠に係合する室外側係合部を有し、室内側取付部は室内側係合部と垂下部とを有し、室内側係合部は上枠の室内側壁から室外側に向けて突出するタイト材ホルダと上枠の下面との間に係合し、垂下部は室内側係合部から下方に突設してあり、タイト材ホルダの長手方向略中央部に設けた切除部に係合すると共に左右端が各々タイト材ホルダに取付けた横タイト材の端面に当接し、風止め部の室内側端面が室内側取付部の室外側面に当接することを特徴とする風止め板。
【発明の詳細な説明】
【技術分野】
【０００１】
本発明は、窓枠の障子走行溝に配置する風止め板に関する。
【背景技術】
【０００２】
特許文献１には、上枠の障子走行溝に風止め板を配置することが開示されている。この特許公報に開示の風止め板は、上枠に係止する取付部と障子の上端に当接する風止部とを備えており、風止め部はヒレ状に形成してあり、風止め部の先端が横に反り曲がって障子に当接するようになっている。
【０００３】
【特許文献１】実用新案登録第２５６０１００号公報
【発明の開示】
【発明が解決しようとする課題】
【０００４】
しかし、経年変化により、障子の位置が下がったり、施工時における寸法誤差により上枠と障子との隙間に誤差が生じると風止め部と障子との密着性が低下し、風雨が侵入するおそれがある。
また、風止め部は障子に何度も擦れ且つその度に風止め部が横に反り曲がるように変形するので耐久性に劣るという問題がある。
そこで、本発明は、風雨の侵入防止に優れると共に耐久性に優れる風止め板の提供を目的とする。
【課題を解決するための手段】
【０００５】
請求項１に記載の発明は、風止め部と取付部とを備え、上枠の下面と垂下片と垂下片の室内側に位置する室内側壁とが形成する障子走行溝に配置してあり、取付部は障子走行溝に固定してあり、風止め部は上壁及び下壁と、上壁と下壁とを右側で連結する右上斜め壁及び右下斜め壁と、上壁と下壁とを左側で連結する左上斜め壁及び左下斜め壁とから成り、各壁の連結部が折れ曲がり自在で上下方向に伸縮するものであり、障子走行溝と障子との間を塞いでいることを特徴とする。
【０００６】
請求項２に記載の発明は、風止め部と上部取付部と室内側取付部とを備え、上枠の下面と垂下片と垂下片の室内側に位置する室内側壁とが形成する障子走行溝に配置してあり、風止め部は上壁及び下壁と、上壁と下壁とを右側で連結する右上斜め壁及び右下斜め壁と、上壁と下壁とを左側で連結する左上斜め壁及び左下斜め壁とから成り、各壁の連結部が折れ曲がり自在で上下方向に伸縮するものであり、各壁の室外側端面が上枠の垂下片の室内側面に当接し、上部取付部は上枠の下面に当接し且つ上枠に係合する室外側係合部を有し、室内側取付部は室内側係合部と垂下部とを有し、室内側係合部は上枠の室内側壁から室外側に向けて突出するタイト材ホルダと上枠の下面との間に係合し、垂下部は室内側係合部から下方に突設してあり、タイト材ホルダの長手方向略中央部に設けた切除部に係合すると共に左右端が各々タイト材ホルダに取付けた横タイト材の端面に当接し、風止め部の室内側端面が室内側取付部の室外側面に当接することを特徴とする。
【発明の効果】
【０００７】
請求項１に記載の発明によれば、風止め部はパンタグラフのように上下方向に伸縮自在であるから、走行してきた障子の上端が風止め部の下壁に当接して下壁が上方に押されると、風止め部は上下方向寸法を縮めるように変形して上枠の障子走行溝と障子との間を塞いで風雨の侵入を防止する。風止め部は、上下方向寸法を縮めるように形が変わるだけであり、反り返るような変形がないので、耐久性に優れる。
経年変化によって障子の位置が下がって障子と上枠との間の隙間が多少大きくなったり、施工時に障子と上枠との間の隙間に多少の寸法誤差が生じても、風止め部は上下方向に伸縮自在としてあるので、風止め部が障子に確実に圧接して風雨の侵入を防止する。特に、風止め部を、上壁と、下壁と、上壁と下壁とを右側で連結する右上斜め壁及び右下斜め壁と、上壁と下壁とを左側で連結する左上斜め壁及び左下斜め壁とから構成することにより、風止め部の上下方向の伸縮寸法Ｈを大きく取ることができ、障子との圧接力を高めることができる。
また、風止め部は上壁と下壁と右上斜め壁と右下斜め壁と左上斜め壁と左下斜め壁とから構成しているので、風止め部を硬質樹脂で作ることができ、材質を硬質樹脂にすることによっても耐久性を高めることができる。
風止め部と取付部とを共に硬質樹脂で製造でき、風止め板を一種類の樹脂材で製造できるので製造コストを安価にできる。
【０００８】
請求項２に記載の発明によれば、風止め部はパンタグラフのように上下方向に伸縮自在であるから、走行してきた障子の上端が風止め部の下壁に当接して下壁が上方に押されると、風止め部は上下方向寸法を縮めるように変形して上枠の障子走行溝と障子との間を塞いで風雨の侵入を防止する。風止め部は、上下方向寸法を縮めるように形が変わるだけであり、反り返るような変形がないので、耐久性に優れる。
経年変化によって障子の位置が下がって障子と上枠との間の隙間が多少大きくなったり、施工時に障子と上枠との間の隙間に多少の寸法誤差が生じても、風止め部は上下方向に伸縮自在としてあるので、風止め部が障子に確実に圧接して風雨の侵入を防止する。特に、風止め部を、上壁と、下壁と、右上斜め壁と、右下斜め壁と、左下斜め壁と、左上斜め壁とから構成することにより、風止め部の上下方向の伸縮寸法Ｈを大きく取ることができ、障子との圧接力を高めることができる。
また、風止め部は上下方向に伸縮自在としているので、風止め部を硬質樹脂で作ることができ、材質を硬質樹脂にすることによっても耐久性を高めることができる。
風止め部と取付部とを共に硬質樹脂で製造でき、風止め板を一種類の樹脂材で製造できるので製造コストを安価にできる。
風止め部は、室外側端面が垂下片の室内側面に当接するので、垂下片と風止め部との間から風雨が室内側に回り込むのを防止できる。
また、風止め部の室内側端面が室内側取付部の室外側面に当接するので、風止め部と室内側取付部との間からも風雨が室内側に周り込むのを防止できる。
上部取付部は室外側係合部を上枠の下面に係合し、室内側取付部は室内側係合部を上枠の下面とタイト材ホルダとの間に係合し且つタイト材ホルダの切除部に垂下部を係合するだけで済み、各部を係合のみで取付けできるので、風止め板の取付けが簡単である。
垂下部は左右端が横タイト材の端面に当接して左右方向の移動が規制され、室内側係合部は上枠の下面とタイト材ホルダとの間に係合して上下方向の移動が規制され且つ上部取付部の室外側係合部が室内側から上枠に係合して奥行き方向（枠の見込み方向）の移動が規制されているので、いずれの方向においても風止め板が動かないように固定できる。
垂下部は左右端を横タイト材の端面に当接しているので、垂下部と横タイト材との間の密着性を高めることができる。
【発明を実施するための最良の形態】
【０００９】
以下に、添付図面の図１〜図４を参照して本発明の実施の形態を説明する。図１（ａ）は本実施の形態にかかる風止め板を装着した引き違いサッシの縦断面図であり、（ｂ）は（ａ）に示すＢ部の拡大図であり、（ｃ）は（ａ）に示すＢ部において上枠の下面及び垂下片と、障子を除いて示す斜視図であり、図２は図１（ｂ）のＡ−Ａ位置で切断したときに障子を除いて示す断面図であり、図３は風止め板を上枠に装着する手順を示す図であり、図４は図１に示す引き違いサッシの横断面図である。
本実施の形態にかかる風止め板１は、引き違いサッシ３の上枠５において、室内側障子７の障子走行溝１１であって且つ閉じ状態にある室内側障子７の召し合せ框７ａの位置に設けてある。
障子走行溝１１は、上枠５の下面５ａと、垂下片１５と、垂下片１５の室内側に位置する室内側壁１７とにより形成されている。室内側壁１７の室外側面１７ａには、室外側に向けて突出するタイト材ホルダ１９が設けてあり、タイト材ホルダ１９に取付けた横タイト材２１が室内側障子７の室内側面に当接するようになっている。
尚、垂下片１５の室外側面にも室外側に向けて突出するタイト材ホルダ２３が設けてあり、室外側障子９の室内側面に当接する横タイト材２５が取付けられている。
風止め板１は、風止め部２７と取付部２９とを備え、風止め部２７と取付部２９とは硬質樹脂材により一体成形されている。
風止め部２７は、上壁３１と、下壁４１と、上壁３１と下壁４１とを右側で連結する右上斜め壁３３及び右下斜め壁３５と、上壁３１と下壁４１とを左側で連結する左上斜め壁３９及び左下斜め壁３７とから成り、パンタグラフのように上下方向に伸縮自在になっている。隣合う各壁３１、３３、３５、３９、４１の連結部４２は内周側に凹み４４が形成してあり、肉厚を薄くしている。
風止め部２７の室外側端面２７ａは垂下片１５の室内側面１５ａに当接している。
取付部２９は、上部取付部４３と、室内側取付部４５とを備えている。上部取付部４３は風止め部２７の上壁３１の上面に設けてあり、上枠５の下面５ａに当接して配置される。上部取付部４３は室外側端に室外側係合部４７を有しており、室外側係合部４７は上枠５の上面５ａに設けられた被係合部４９に室内側から係合するようになっている。
室内側取付部４５の室外側面４５ａには、風止め部２７の室内側端面２７ｂが当接している。
室内側取付部４５は、室内側係合部５１と垂下部５３とを有している。室内側係合部５１は、タイト材ホルダ１９と上枠５の下面５ａとの間に室外側から係合している。垂下部５３は、室内側係合部５１の下方に突設して設けてあり且つタイト材ホルダ１９の長手方向略中央部に設けた切除部５５に係合している。切除部５５において、垂下部５３の左端はタイト材ホルダ１９に取付けた横タイト材２１の左端面２１ａに当接し、垂下部５３の右端は横タイト材２１の右端面２１ｂに当接している。
【００１０】
次に、本実施の形態にかかる風止め板１の取付け方法、作用及び効果について説明する。
引戸サッシ３の上枠５において、室内側障子７の障子走行溝１１に風止め板１を取付けるが、風止め板１は障子を締めたときに室内側障子７の召し合せ框７ａが位置する箇所（左右方向略中央）に取付ける。風止め板１の上枠５への取付けは、図３（ａ）に示すように、風止め部２７は上下方向寸法を縮めた状態にして、上枠５の室内側壁１７に設けてあるタイト材ホルダ１９を乗り越えるようにして室内側取付部４５を上枠５内上方に挿入すると共に上部取付部４３を上枠の下面５ａに近づけるようにして押し上げる。
次に、図３（ｂ）に示すように、風止め部２７の室外側端を上枠５の垂下片１５の室内側面に１５ａに当接させて、図３（ｃ）に示すように室外側取付部４５を押し上げると、上枠５の被係合部４９に風止め板１の上部取付部４３にある室外側係合部４７が室内側から係合すると共に、室内側取付部４５が上枠５の下面５ａとタイト材ホルダ１９との間に室外側から係合する。更に、室内側取付部４５の下方に突設する垂下部５３がタイト材ホルダ１９の切除部５５に係合して、垂下部５３の左端が切除部５３の左側にあるタイト材２１の端面２１ａに当接し、垂下部５３の右端が切除部５３の右側にあるタイト材２１の端面２１ｂに当接する。そして、風止め板１から手を離すと風止め部１は上下方向寸法Ｈを伸ばすように変形し、図１（ｂ）及び図２に示すように、上下方向寸法Ｈを広げた状態で上枠５に取付けられる。
上枠５に風止め板１を取付けた状態で、風止め部２７の下に内側障子７が走行してくると、風止め部２７は上下方向寸法Ｈを縮めるように形を変えて上枠５の下面５ａと障子７の上端に当接して上枠５と障子７の隙間を塞いで風雨の侵入を防止する。
本実施の形態によれば、風止め部２７はいわゆるパンタグラフのように伸縮自在になっており、上枠５と障子７との間を塞ぐ際には、上下方向法Ｈが縮まるように形が変わるだけであり、風止め部２７に反り返るような変形がないので、耐久性に優れる。
経年変化によって障子７の位置が下がって障子７と上枠５との間の隙間が多少大きくなったり、施工時に障子７と上枠５との間の隙間に多少の寸法誤差が生じても、風止め部２７は上下方向に伸縮自在としてあるので、風止め部２７が障子５に確実に圧接して風雨の侵入を防止する。特に、風止め部２７を、上壁３１と、下壁４１と、右上斜め壁３３と、右下斜め壁３５と、左下斜め壁３７と、左上斜め壁３９とから構成することにより、風止め部２７の上下方向の伸縮寸法Ｈを大きく取ることができ、障子７との圧接力を高めることができる。
また、風止め部２７は、上壁３１と、下壁４１と、上壁３１と下壁４１とを右側で連結する右上斜め壁３３及び右下斜め壁３５と、上壁３１と下壁４１とを左側で連結する左上斜め壁３９及び左下斜め壁３７とから構成しているので、風止め部２７を硬質樹脂で作ることができ、材質を硬質樹脂にすることによっても耐久性を高めることができる。
風止め部２７と取付部２９とを共に硬質樹脂で製造でき、風止め板１を一種類の樹脂材で製造することにより製造コストを安価にできる。
風止め部２７は、室外側端面２７ａが垂下片１５の室内側面１５ａに当接するので、垂下片１５と風止め部２７との間から風雨が室内側に回り込むのを防止できる。
また、風止め部２７の室内側端面２７ｂが室内側取付部４５の室外側面４５ａに当接するので、風止め部２７と室内側取付部４５との間からも風雨が室内側に周り込むのを防止できる。
上部取付部４３は室外側係合部４７を上枠５の下面５ａに係合し、室内側取付部４５の室内側係合部５１は上枠５の下面５ａとタイト材ホルダ１９との間に係合し且つ垂下部５３をタイト材ホルダ１９の切除部５５に係合するだけで済み、各部を係合だけで取付けできるので、取付けが簡単である。
垂下部５３が横タイト材２１の端面２１ａ、２１ｂにより左右方向の移動が規制され、室内側係合部４７が上枠５の下面５ａとタイト材ホルダ１９との間で上下方向の移動が規制されて且つ上部取付部４３の室外側係合部４７が室内側から係合して奥行き方向（枠の見込み方向）の移動が規制されているので、いずれの方向においても風止め板１が動かないように固定できる。
垂下部５３は左右端を横タイト材２１の端面２１ａ、２１ｂに当接しているので、垂下部５３と横タイト材２１との間の密着性を高めることができる。
風止め部２７において、各壁の連結部４２には凹み４４を設けて肉厚を薄くしているので、変形による上下方向の伸縮がし易い。
【００１１】
本発明は、上述した実施の形態に限らず、本発明の要旨を逸脱しない範囲で種々変形可能である。
例えば、図５に示すように、風止め部２７は、左上斜め壁３９と左下斜め壁３７とは谷折状に連結するものであってもよいし、同様に左上斜め壁３９と左下斜め壁３７とを山折上に連結して右上斜め壁３３と右下斜め壁３５とを谷折状に連結するものであってもよい。
また、図６に示すように、左上斜め壁３９と左下斜め壁３７を谷折状に連結し且つ右上斜め壁３３と右下斜め壁３５も谷折状に連結するものであってもよい。
室外側係合部４７を凹部とし上枠５の下面５ａに設けた被係合部４９を突部としてもよい。
請求項１に記載の発明においては、タイト材ホルダ１９に切除部５５を設けないで且つ室内側取付部４５に垂下部５３を設けないで、上部取付部４３又は室内側係合部５１を接着剤や両面テープにより上枠５に固定するものであってもよい。
風止め板１は、引き違いサッシに用いることに限らず、片引きサッシに用いてもよい。
【図面の簡単な説明】
【００１２】
【図１】（ａ）は本実施の形態にかかる風止め板を装着した引き違いサッシの縦断面図であり、（ｂ）は（ａ）に示すＢ部の拡大図であり、（ｃ）は（ａ）に示すＢ部において上枠の下面及び垂下片と、障子を除いて示す斜視図である。
【図２】図１（ｂ）のＡ−Ａ位置で切断したときに障子を除いて示す断面図である。
【図３】風止め板を上枠に装着する手順を示す図である。
【図４】図１に示す引き違いサッシの横断面図である。
【図５】他の実施形態にかかる風止め板を図１（ｂ）のＡ−Ａ位置と同じ位置で切断した断面図である。
【図６】他の実施形態にかかる風止め板を図１（ｂ）のＡ−Ａ位置と同じ位置で切断した断面図である。
【符号の説明】
【００１３】
１      風止め板
５      上枠
５ａ    下面
１１    障子走行溝
１５    垂下片
１７    室内側壁
１９    タイト材ホルダ
２１    横タイト材
２１ａ、２１ｂ  横タイト材の端面
２７    風止め部
２９    取付部
３１    上壁
３３    右上斜め壁
３５    右下斜め壁
３７    左下斜め壁
３９    左上斜め壁
４１    下壁
４３    上部取付部
４５    室内側取付部
４７    室外側係合部
５１    室内側係合部
５３    垂下部
５５    切除部
Ｈ      上下方向寸法
【図１】
2006219907.tif 000003
【図２】
2006219907.tif 000004
【図３】
2006219907.tif 000005
【図４】
2006219907.tif 000006
【図５】
2006219907.tif 000007
【図６】
2006219907.tif 000008